(57)【要約】【課題】安価な構造で回路基板の電源変圧回路を確実に防水することができるとともに、リサイクル性の向上を図ることができる充電装置を提供すること。【解決手段】電池パック６の充放電端子と当接する充電器端子５と電気的に接続され、電源コード１３を介して印加される電源電圧を降圧又は昇圧する電源変圧回路（１次回路）１４と前記電池パック６を充電制御する充電回路（２次回路）１５から成る回路基板２と、該回路基板２を収納する上外枠３と下外枠４を備え、前記上外枠４に前記電池パック６を挿入して保持する電池パック挿入孔８を形成し、前記下外枠４の底面に排出口２０，２１を設けて成る充電器１において、前記下外枠４の内底面に、該内底面と前記回路基板２とで画成される室Ｓを電源変圧回路（１次回路）側室Ｓ１と充電回路（２次回路）側室Ｓ２とに区画する隔壁１７を突設する。【選択図】図１
2009178011.tif 000002
【特許請求の範囲】
【請求項１】
上外枠と、
前記上外枠と共に本体ケースを形成し、該本体ケース内に浸入した水を排出する排出口を有する下外枠と、
前記本体ケースに設けられ、電池パックが接続される電池接続部と、
前記電池接続部から前記本体ケースの内側方向へ向かって突出する水抜き筒と、
電源電圧を変換する電源電圧回路（１次回路）と前記電源電圧回路で変換された電圧を充電端子に供給する充電回路（２次回路）とを備え、前期充電回路が形成される領域に前記突出部を挿入する挿入穴が形成された回路基板と、
前記下外枠の内底面に、該内底面と前記回路基板とで画成される室を電源変圧回路（１次回路）側室と充電回路（２次回路）側室とに区画する隔壁と、を備えたことを特徴とする充電装置。
【請求項２】
前記隔壁に前記電源変圧回路（１次回路）側室と前記充電回路（２次回路）側室とを連通させるとともに、前記下外枠の底面に開口する排出口を形成したことを特徴とする請求項１記載の充電装置。
【請求項３】
前記排出口を前記隔壁の長手方向両端部に形成したことを特徴とする請求項２記載の充電装置。
【発明の詳細な説明】
【技術分野】
【０００１】
本発明は、コードレス電動工具の駆動源として用いられる電池パックを充電するための充電装置に関するものである。
【背景技術】
【０００２】
一般に充電装置は、電源コードから印加される交流電圧又は直流電圧を降圧若しくは昇圧する電源変圧回路（１次回路）と、回路基板と、該回路基板を収納する上外枠及び下外枠から構成されている。ここで、回路基板は、電源変圧回路（１次回路）で変圧した電圧を充電器端子を介して電池端子に印加して電池パックに充電電流を流し、充電中の電池電圧等を監視して満充電を検出し、その検出結果に基づいて充電停止等の充電制御を行う充電回路（２次回路）を備えている。
【０００３】
ところで、充電器は屋外で使用されることがあるために電池パックの充電中に水が内部に浸入することがある。
【０００４】
そこで、充電装置には防水のために電池パック挿入孔以外には風窓等の孔を設けていないが、水が充電装置と電池パックの隙間を伝って浸入する。
【特許文献１】実開平６−０６８３０３号公報
【発明の開示】
【発明が解決しようとする課題】
【０００５】
ところで、従来の充電装置においては、電源変圧回路（１次回路）側に水が流れ込んで回路基板が濡れ、該回路基板が電腐等によって故障するだけでなく、電源変圧回路（１次回路）と充電回路（２次回路）が水によって短絡して電源電圧が充電器端子等の端子に掛かって人が触れると感電する可能性がある。このため、電源変圧回路（１次回路）と充電回路（２次回路）との境界近傍を中心に回路基板にシリコン等の防水剤を広範囲に亘って塗布していた。
【０００６】
しかし、シリコン等の防水剤塗布にはコストが掛かるとともに、回路基板を分別回収してリサイクルする際に防水剤を取り除く必要があるため、リサイクル性が悪いという問題があった。
【０００７】
本発明は上記問題に鑑みてなされたもので、その目的とする処は、安価な構造で回路基板の電源変圧回路を確実に防水することができるとともに、リサイクル性の向上を図ることができる充電装置を提供することにある。
【課題を解決するための手段】
【０００８】
上記目的を達成するため、請求項１記載の充電装置は、
上外枠と、
前記上外枠と共に本体ケースを形成し、該本体ケース内に浸入した水を排出する排出口を有する下外枠と、
前記本体ケースに設けられ、電池パックが接続される電池接続部と、
前記電池接続部から前記本体ケースの内側方向へ向かって突出する水抜き筒と、
電源電圧を変換する電源電圧回路（１次回路）と前記電源電圧回路で変換された電圧を充電端子に供給する充電回路（２次回路）とを備え、前期充電回路が形成される領域に前記突出部を挿入する挿入穴が形成された回路基板と、
前記下外枠の内底面に、該内底面と前記回路基板とで画成される室を電源変圧回路（１次回路）側室と充電回路（２次回路）側室とに区画する隔壁と、を備えたことを特徴とする充電装置電池パックの充放電端子と当接する充電器端子と電気的に接続され、電源コードを介して印加される電源電圧を降圧又は昇圧する電源変圧回路（１次回路）と前記電池パックを充電制御する充電回路（２次回路）から成る回路基板と、該回路基板を収納する少なくとも２分割された上外枠と下外枠を備え、前記上外枠に前記電池パックを挿入して保持する電池パック挿入孔を形成し、前記下外枠の底面の少なくとも１箇所以上に排水孔を設けて成る充電器において、前記下外枠の内底面に、該内底面と前記回路基板とで画成される室を電源変圧回路（１次回路）側室と充電回路（２次回路）側室とに区画する隔壁を突設したことを特徴とする。
【０００９】
請求項２記載の発明は、請求項１記載の発明において、前記隔壁に前記電源変圧回路（１次回路）側室と前記充電回路（２次回路）側室とを連通させるとともに、前記下外枠の底面に開口する排出口を形成したことを特徴とする。
【００１０】
請求項３記載の発明は、請求項２記載の発明において、前記排出口を前記隔壁の長手方向両端部に形成したことを特徴とする。
【発明の効果】
【００１１】
請求項１記載の発明によれば、充電装置の下外枠の内底面と回路基板とで画成される室を隔壁によって電源変圧回路（１次回路）側室と充電回路（２次回路）側室とに区画したため、充電装置と電池パックの隙間を通って充電回路（２次回路）側室に浸入した水が隔壁によって堰き止められ、電源変圧回路（１次回路）側室への水の流れが阻止される。このため、回路基板の電源変圧回路（１次回路）が水に濡れて該回路基板が電腐等によって故障することがなく、電源変圧回路（１次回路）と充電回路（２次回路）の水による短絡が防がれる。又、電源変圧回路（１次回路）と充電回路（２次回路）との境界近傍を中心に回路基板にシリコン等の防水剤を広範囲に亘って塗布する必要がなく、防水剤の塗布に要するコストを削減することができるとともに、回路基板を分別回収してリサイクルする際に防水剤を取り除く手間が省かれるために当該充電器のリサイクル性が高められる。
【００１２】
請求項２記載の発明によれば、隔壁に形成された排出口によって電源変圧回路（１次回路）側室と充電回路（２次回路）側室とを連通させたため、万一、水が隔壁を乗り越えて電源変圧回路（１次回路）側室へ流れ込んだ場合であっても、この水は隔壁に形成された排出口又は下外枠の底面に形成された他の排出口から外部に排出されるため、回路基板の電源変圧回路（１次回路）の防水を実現することができる。
【００１３】
請求項３記載の発明によれば、排出口を隔壁の長手方向両端部に形成したため、充電器がどの方向に傾いても２つの排出口の何れか一方から確実に排水することができる。
【発明を実施するための最良の形態】
【００１４】
以下に本発明の実施の形態を添付図面に基づいて説明する。
【００１５】
図１は本発明に係る充電装置の側断面図、図２は同充電装置の底面図、図３は図１のＡ−Ａ線断面図、図４は図３のＢ−Ｂ線断面図、図５は回路基板の平面図である。
【００１６】
本発明に係る充電装置１は、回路基板２を収納する上外枠３と下外枠４から成り、前記回路基板２と電気的に接続された正極端子と負極端子等の充電器端子５が電池パック６の電池端子７と当接するよう回路基板２に電気的に接続・搭載されている。又、上外枠３には、電池パック６を挿入保持するための電池パック挿入孔８と、充電器端子５が電池パック挿入孔８内へ覗くための端子覗き孔９が形成されている。そして、端子覗き孔９の外周には隔壁１０が形成され、電池パック挿入孔８の底面の隔壁１０の近傍には、回路基板２に形成された基板孔１１を貫通して回路基板２の下まで延びる水抜き筒１２が垂直下方に突設されている。
【００１７】
ここで、前記回路基板２は、電源コード１３から印加される交流電圧又は直流電圧を降圧若しくは昇圧する電源変圧回路（１次回路）１４と、該電源変圧回路（１次回路）１４で変圧した電圧を充電器端子５を介して電池端子７に印加して電池パック６に充電電流を流し、充電中の電池電圧等を監視して満充電を検出し、その検出結果に基づいて充電停止等の充電制御を行う充電回路（２次回路）１５とに１次−２次回路境界１６を境に分かれている。
【００１８】
又、下外枠４には、内底面から突出して回路基板２の１次−２次回路境界１６方向に隔壁１７が突設されており、下外枠４の内底面と回路基板２とで画成される室Ｓは、隔壁１７によって電源変圧回路（１次回路）側室Ｓ１と充電回路（２次回路）側室Ｓ２とに区画されている。そして、隔壁１７の幅方向両側（図２及び図３の上下方向両端）には、電源変圧回路（１次回路）側室Ｓ１と充電回路（２次回路）側室Ｓ２とを連通させる排出口１９が形成されており、これらの排出口１９は下外枠４の底面に開口している。従って、排出口１９によって電源変圧回路（１次回路）側室Ｓ１と充電回路（２次回路）側室Ｓ２の何れからでも水を排出することができるよう構成されている。
【００１９】
更に、下外枠４の底面には、充電回路（２次回路）側室Ｓ２に溜まった水を排出するための排出口２０と、電源変圧回路（１次回路）側室Ｓ１に溜まった水を排水するための排出口２１が各２つずつ形成されている。
【００２０】
次に、充電装置１で電池パック６を充電中に水が掛かった場合の排水について説明する。
【００２１】
充電装置１には電池パック挿入孔８以外には風窓等の孔が設けられていないため、水は図１に矢印にて示すように充電装置１と電池パック６の隙間１８を通って充電装置１内に浸入する。そして、浸入した水は隔壁１０によって堰き止められ、水抜き筒１２を通って下外枠３内の充電回路（２次回路）側室Ｓ２に落下する。
【００２２】
水抜き筒１２を通って下外枠３内の充電回路（２次回路）側室Ｓ２に落下した水は、電源変圧回路（１次回路）側室Ｓ２に流れ込まないよう隔壁１７によって堰き止められて排出口１９又は排出口２１から外部に排出される。又、万一、水が隔壁１７を乗り越えて電源変圧回路（１次回路）側室Ｓ１へ流れ込んだ場合であっても、この水は排出口１９又は排出口２０から外部に排出される。
【００２３】
以上のように、本実施の形態によれば、充電装置１の下外枠４の内底面と回路基板２とで画成される室Ｓを隔壁１７によって電源変圧回路（１次回路）側室Ｓ１と充電回路（２次回路）側室Ｓ２とに区画したため、充電器１と電池パック６の隙間１８を通って水抜き筒１２から充電回路（２次回路）側室Ｓ２に浸入した水が隔壁１７によって堰き止められ、電源変圧回路（１次回路）側室Ｓ１への水の流れが阻止される。このため、回路基板２の電源変圧回路（１次回路）１４が水に濡れて該回路基板２が電腐等によって故障することがなく、電源変圧回路（１次回路）１４と充電回路（２次回路）１５の水による短絡が防がれる。
【００２４】
又、電源変圧回路（１次回路）１４と充電回路（２次回路）１５との境界１６近傍を中心に回路基板２にシリコン等の防水剤を広範囲に亘って塗布する必要がなく、防水剤の塗布に要するコストを削減することができるとともに、回路基板２を分別回収してリサイクルする際に防水剤を取り除く手間が省かれるために当該充電装置１のリサイクル性が高められる。
【００２５】
更に、本実施の形態では、隔壁１７に形成された排出口１９によって電源変圧回路（１次回路）側室Ｓ１と充電回路（２次回路）側室Ｓ２とを連通させたため、万一、水が隔壁１７を乗り越えて電源変圧回路（１次回路）側室Ｓ１へ流れ込んだ場合であっても、この水は隔壁１７に形成された排出口１９又は下外枠４の底面に形成された他の排出口２１から外部に排出されるため、回路基板２の電源変圧回路（１次回路）１４の防水を実現することができる。そして、本実施の形態では、排出口１９を隔壁１７の長手方向両端部に形成したため、充電器１がどの方向に傾いても２つの排出口１９の何れか一方から確実に排水することができる。
【図面の簡単な説明】
【００２６】
【図１】本発明に係る充電装置の側断面図である。
【図２】本発明に係る充電装置の底面図である。
【図３】図１のＡ−Ａ線断面図である。
【図４】図３のＢ−Ｂ線断面図である。
【図５】本発明に係る充電装置の回路基板の平面図である。
【符号の説明】
【００２７】
１          充電装置
２          回路基板
３          上外枠
４          下外枠
５          充電器端子
６          電池パック
７          電池端子
８          電池パック挿入孔
９          端子覗き孔
１０        隔壁
１１        基板孔
１２        水抜き筒
１３        電源コード
１４        電源変圧回路（１次回路）
１５        充電回路（２次回路）
１６        １次−２次回路境界
１７        隔壁
１８        隙間
１９〜２１  排出口
Ｓ          室
Ｓ１        電源変圧回路（１次回路）側室
Ｓ２        充電回路（２次回路）側室
【図１】
2009178011.tif 000003
【図２】
2009178011.tif 000004
【図３】
2009178011.tif 000005
【図４】
2009178011.tif 000006
【図５】
2009178011.tif 000007